(57)【要約】【課題】  従来知られている技術では、仰臥もしくは左右いずれかの横臥状態で、簡単に表示装置を適視位置に置くことができなかった。【解決手段】  上述した従来技術の問題点を解決するために、本発明においては、回転軸を有する保持機構の一端もしくはその近傍に表示装置を装着し、前記保持機構の残る片端もしくはその近傍に表示装置用の回路装置もしくはバランサーを装着し、かつ前記回転軸を保持する回転軸保持機構を有し、前記表示装置及び表示装置側の保持機構の重力による回転軸回りの回転モーメントと、前記回路装置もしくはバランサー及び前記回路装置側もしくはバランサー側の保持機構の重力による回転軸回りの回転モーメントとをほぼ等しくし、かつ回転軸保持機構と回転軸との間に軽微な摩擦力を持たせた。  それにより軽微な力で前記表示装置を回転軸の回りに回転可能とし、簡単に表示装置を適視位置に置くことができるようになった。【選択図】  図１
2005084671.tif 000002
【特許請求の範囲】
【請求項１】
回転軸を有する保持機構の一端もしくはその近傍に表示装置を装着し、前記保持機構の残る片端もしくはその近傍に表示装置用の回路装置もしくはバランサーを装着し、かつ前記回転軸を保持する回転軸保持機構を有し、前記表示装置及び表示装置側の保持機構の重力による回転軸回りの回転モーメントと、前記回路装置もしくはバランサー及び前記回路装置側もしくはバランサー側の保持機構の重力による回転軸回りの回転モーメントとをほぼ等しくし、かつ回転軸保持機構と回転軸の間に軽微な摩擦力を持たせ、軽微な力で前記表示装置を回転軸の回りに回転可能とした表示装置の保持装置
【請求項２】
回転軸を有する保持機構の一端もしくはその近傍に表示装置を装着し、前記保持機構の残る片端もしくはその近傍に表示装置用の回路装置もしくはバランサーを装着し、前記回転軸を保持する回転軸保持機構と、モータを有し、前記表示装置及び表示装置側の保持機構の重力による回転軸回りの回転モーメントと、前記回路装置もしくはバランサー及び前記回路装置側もしくはバランサー側の保持機構の重力による回転軸回りの回転モーメントとをほぼ等しくし、かつ回転軸にモータの回転力を伝えて前記表示装置を回転軸の回りに回転可能とした表示装置の保持装置
【請求項３】
人体の一部に直接もしくは間接的に取り付けられた角度センサーもしくは加速度センサーからの情報を有線もしくは無線で前記モータの制御装置に伝える、請求項２に記載の表示装置の保持装置
【請求項４】
請求項１，２もしくは３において回転軸保持機構が、前記回転軸と直行する第２の回転軸と、第２の回転軸を保持する第２の回転軸保持機構とを有し、かつ第２の回転軸と第２の回転軸保持機構の間に軽微な摩擦力を有し、軽微な力で第２の回転軸を中心として前記回転軸保持機構を回転させることが可能な表示装置の保持装置
【請求項５】
請求項１，２もしくは３において回転軸保持機構が、前記回転軸と直行する第２の回転軸と、第２の回転軸を保持する第２の回転軸保持機構と、第２の回転軸回転用モータを有し、かつ前記第２の回転軸に第２の回転軸回転用モータの回転力を伝え、第２の回転軸を中心として前記回転軸保持機構を回転させることが可能な表示装置の保持装置
【請求項６】
請求項１ないし５において表示装置から表示装置用の回路装置までの配線の過半もしくは、回転軸周辺から表示装置までの配線の過半もしくは、回転軸周辺から表示装置用の回路装置までの配線の過半を保持機構内に収納する、表示装置の保持装置
【発明の詳細な説明】
【技術分野】
【０００１】  本発明は仰臥もしくは横臥した時に、見やすい表示装置に関する。
【背景技術】
【０００２】  仰臥もしくは横臥したときにテレビを見やすくする装置としては、ベッドの左右いずれか片側にガイドをおき、このガイドにスライドするブラケットを設け、このブラケットに直交する２つの調整可能な回転軸を設け、薄型テレビを吊り下げることにより、視聴者の好みに応じて薄型テレビの位置や方向を変更することができる技術が開示されている。（特許文献１参照）
またベッドの近傍に設けられた３次元的に位置調節可能な可動アーム手段に表示装置やカメラを装着した技術が開示されている。（特許文献２参照）
さらに支柱に取り付けられた昇降および回転可能なブロックとパントグラフを用いて液晶テレビを取り付け、液晶テレビの位置を自由に可変とする技術が開示されている。（特許文献３参照）
【特許文献１】特許２９１４５６８号公報
【特許文献２】特開平０９−２９４７８４号公報
【特許文献３】特開平１１−１５１１２４号公報
【発明の開示】
【発明が解決しようとする課題】
【０００３】  しかしながら従来から知られている技術には以下のような課題があった。
すなわち、特許文献１においてはベッドの片側に薄型テレビがあり、仰臥もしくは横臥でもテレビ側を向いた場合は視聴可能であるが、テレビと反対側に横臥した場合、視聴することはできなくなるという不都合があった。
また、特許文献２や特許文献３によって、仰臥及び左右どちらの横臥状態でのテレビ視聴も可能となったが、視聴者が液晶テレビを３次元的に適切な位置に置くために細かい調整が必要であった。
とくに視聴者の腕機能に障害がある場合は、前記の既知の技術では液晶テレビの向きや位置を適視位置に置くことはほとんど不可能であり、液晶テレビを見つづけると、寝返りを打たないためいわゆる床ずれと呼ばれる症状を起こしやすく、床ずれを避けるために横臥の方向を変えた場合、液晶テレビの向きや位置を第３者に変えてもらう必要があった。【０００４】  本発明は上述した従来技術の問題点に鑑みてなされ、仰臥もしくは左右いずれの横臥状態でも、簡単に表示装置の適視位置を得ることを目的とする。
【課題を解決するための手段】
【０００５】  上述した従来技術の問題点を解決し、上述した目的を達成するために、本発明のうち請求項１に記載した発明の表示装置の保持装置は、
回転軸を有する保持機構の一端もしくはその近傍に表示装置を装着し、前記保持機構の残る片端もしくはその近傍に表示装置用の回路装置もしくはバランサーを装着し、かつ前記回転軸を保持する回転軸保持機構を有し、前記表示装置及び表示装置側の保持機構の重力による回転軸回りの回転モーメントと、前記回路装置もしくはバランサー及び前記回路装置側もしくはバランサー側の保持機構の重力による回転軸回りの回転モーメントとをほぼ等しくし、かつ回転軸保持機構もしくは回転軸に軽微な摩擦力を持たせ、軽微な力で前記表示装置を回転軸の回りに回転可能としたことを特徴とする。【０００６】  また前述した従来技術の問題点を解決し、前述した目的を達成するために、本発明のうち請求項２に記載した発明の表示装置の保持装置は、回転軸を有する保持機構の一端もしくはその近傍に表示装置を装着し、前記保持機構の残る片端もしくはその近傍に表示装置用の回路装置もしくはバランサーを装着し、前記回転軸を保持する回転軸保持機構と、モータを有し、前記表示装置及び表示装置側の保持機構の重力による回転軸回りの回転モーメントと、前記回路装置もしくはバランサー及び前記回路装置側もしくはバランサー側の保持機構の重力による回転軸回りの回転モーメントとをほぼ等しくし、かつ回転軸にモータの回転力を伝えて前記表示装置を回転軸の回りに回転可能としたことを特徴とする。【０００７】  さらに前述した従来技術の問題点を解決し、前述した目的を達成するために、本発明のうち請求項３に記載した発明の表示装置の保持装置は、請求項２に記載の発明に加えて、人体の一部に直接もしくは間接的に取り付けられた角度センサーもしくは加速度センサーからの情報を有線もしくは無線で前記モータの制御装置に伝えることを特徴とする。【０００８】  加えて前述した従来技術の問題点を解決し、前述した目的を達成するために、本発明のうち請求項４に記載した発明の表示装置の保持装置は、請求項１ないし３に記載の発明に加えて、回転軸保持機構が、前記回転軸と直行する第２の回転軸と、第２の回転軸を保持する第２の回転軸保持機構とを有し、かつ第２の回転軸と第２の回転軸保持機構との間に軽微な摩擦力を有し、軽微な力で第２の回転軸を中心として前記回転軸保持機構を回転させることが可能なことを特徴とする。【０００９】  かつ前述した従来技術の問題点を解決し、前述した目的を達成するために、本発明のうち請求項６に記載した発明の表示装置の保持装置は、請求項１ないし請求項３に記載の発明に加えて、回転軸保持機構が、前記回転軸と直行する第２の回転軸と、第２の回転軸を保持する第２の回転軸保持機構と、第２の回転軸回転用モータを有し、かつ前記第２の回転軸に第２の回転軸回転用モータの回転力を伝え、第２の回転軸を中心として前記回転軸保持機構を回転させることが可能なことを特徴とする。【００１０】  更に本発明のうち請求項６に記載した発明の表示装置の保持装置は、請求項１ないし５に記載の発明において、表示装置から表示装置用の回路装置までの配線の過半もしくは、回転軸周辺から表示装置までの配線の過半もしくは、回転軸周辺から表示装置用の回路装置までの配線の過半を保持機構内に収納することを特徴とする。
【発明の効果】
【００１１】  第１の請求項に記載した発明に拠れば、本発明の表示装置の保持装置を利用する視聴者はわずかな力で、かつ単純な位置調整で、仰臥ばかりでなく左右どちらの横臥に対しても表示装置を視聴者の適視位置に置くことが可能となる。【００１２】  また、第２の請求項に記載した発明に拠れば、本発明の表示装置の保持装置を利用する視聴者は、スイッチなどのわずかな力でかつ容易な操作により、仰臥ばかりでなく左右どちらの横臥に対しても表示装置を視聴者の適視位置に置くことが可能となる。【００１３】  更に、第３の請求項に記載した発明に拠れば、本発明の表示装置の保持装置を利用する視聴者は、仰臥、左右いずれの横臥に関らず、全く操作を伴わずに表示装置を適視位置に置くことできる。【００１４】  加えて、第４の請求項に記載した発明に拠れば、本発明の表示装置の保持装置を利用する視聴者は、非常に軽い力で表示装置およびその保持装置を仰臥した視聴者の頭部側に移動することができるため、視聴者が仰臥しての視聴を終え、起き上がる場合の障害とならない利点がある。【００１５】  更に、本発明の第６の実施形態に拠れば、本発明の表示装置の保持装置を利用する視聴者は、僅かなスイッチ操作で表示装置およびその保持装置を仰臥した視聴者の頭部側に移動することができるため、視聴者が仰臥しての視聴を終え、起き上がる場合の障害とならない利点がある。【００１６】  また、本発明の第６の実施形態に拠れば、本発明の表示装置の保持装置を利用する視聴者は配線を殆ど意識せず、快適な操作性が得られる利点がある。
【発明を実施するための最良の形態】
【００１７】  以下本発明の実施形態の一例を、図面を用いて詳細に説明する。
第１の実施形態・第１の例
当該実施形態は請求項１に記載の発明に対応した実施形態であり、図１及び図２は本実施形態の第１の例における表示装置の保持装置の説明図である。
図１において表示装置１０は角度調整アーム１１及び表示装置固定ネジ１２を介して、表示装置固定ネジ１２により保持機構１３の片端近傍に装着されている。
また同保持機構１３の別の片端には表示装置用の回路装置１４及びもしくはバランサー１４が取り付けられている。
さらに同保持機構１３には円筒状の回転軸１６が留めピン１６で装着されており、同回転軸１５は回転軸保持機構１７で保持され、回転軸保持機構１７は床面２０に置かれた保持装置台１９に装着されている。
リング１８は回転軸１６が回転軸保持機構１７から脱落することを防止するためのものである。【００１８】  ここで角度調整アーム１１と表示装置固定ネジ１２を用いて、仰臥したときの視聴者の視線と直交するように表示装置１０の角度を固定する。
また表示装置１０、角度調整アーム１１、表示装置固定ネジ１２及び回転軸１５より表示装置側の保持機構１３による回転軸回りの重力回転モーメントと、表示装置用の回路装置１４及びもしくはバランサー１４と回転軸１５より表示装置用の回路装置１４及びもしくはバランサー１４側の保持機構１３による回転軸回りの重力回転モーメントとをほぼ等しくする。
更に回転軸１５と回転軸保持機構１７の間に軽微な摩擦力を生じるように構成する。【００１９】 第１の実施形態・第１の例の効果
本発明の第１の実施形態に拠れば、視聴者はわずかな力で表示装置１０を回転軸１５の周りに回転させることが可能となり、図２示すように仰臥ばかりでなく左右どちらの横臥に対しても表示装置１０を視聴者の正面すなわち適視位置に置くことが可能となる。
また、本装置においては表示装置を移動できる方向が回転軸周囲に１次元的に限定されており、適視位置の調整が従来例に比べてはるかに容易であり、特に身体障害者にとっては大変有用である。
さらに寝返りを打っても容易に表示装置の適視位置を変更できることから、いわゆる床ずれの防止効果も大きい利点がある。【００２０】 第１の実施形態・第２の例
図３は本実施形態の第２の例における表示装置の保持装置の説明図である。
図３においては、表示装置１０、角度調整アーム１１、表示装置固定ネジ１２、保持機構１３、回路装置１４及びもしくはバランサー１４、留めピン１６については図１と同じであり、説明を省略する。
この例では回転軸１５を保持する回転軸保持機構１７は壁２１に取り付けられており、第１の例と同様に、微弱な力で表示装置を移動させることができる。【００２１】 第１の実施形態・第２の例の効果
本例は、特に回転軸１５が床面２０より高い場合であっても安定して、視聴者はわずかな力で、仰臥ばかりでなく左右どちらの横臥に対しても表示装置を適視位置に置くことが可能となる。【００２２】 第１の実施形態・第３の例
図４は本実施形態の第３の例における表示装置の保持装置の説明図である。
図４においては、表示装置１０、角度調整アーム１１、表示装置固定ネジ１２、回路装置１４及びもしくはバランサー１４については図１と同じであり、説明を省略する。
この例においては、保持機構１３が２分され回転軸１５と２つの留めピン１６で一体化されており、微弱な力で表示装置を移動させることが可能となる。【００２３】 第１の実施形態・第３の例の効果
本例においては、例１や例２と同様に、回転軸１６にかかる曲げモーメントを軽減できるため、視聴者はよりわずかな力で、仰臥ばかりでなく左右どちらの横臥に対しても表示装置を適視位置に置くことが可能となる。【００２４】 第２の実施形態
当該実施形態は請求項２に記載の発明に対応した実施形態であり、図５は本実施形態における表示装置の保持装置の説明図である。
図５においては、表示装置１０、角度調整アーム１１、表示装置固定ネジ１２、保持機構１３、回路装置１４及びもしくはバランサー１４については図１と同様であり、説明を省略する。
ここで保持装置１３に留めピン１６を用いて円筒状の回転軸１６を設け、回転軸１６を回転軸保持装置１７で保持するが、本実施例においては回転軸１５と回転軸保持装置１７の間の摩擦力は可能な限り減じておく。
留めピン１６の反対側の回転軸１５にはＡ歯車２９が装着される。
またモータ２３は回転軸保持装置１７を保持するとともに、モータ回転軸にはＢ歯車２２を装着する。
ここでＡ歯車の歯数はＢ歯車の歯数よりも大きいとする。
またモータ２３を床２０の上に置かれた支持装置台１９が支持する。【００２５】  このように構成することにより、直流モータ２３に電流を流すことにより、Ｂ歯車２３が回転しＡ歯車２９を減速して回転させ、回転軸１５及び支持機構１３を回転させ、表示装置１０が目的の位置に到達したときに直流モータへの電流供給を停止することにより、回転を止めることができる。
ここで単純に直流モータ２３に流す電流の向きを反対にすれば、反対方向への回転も容易である。【００２６】  図６は第２の実施形態における直流モータ２３へ電流を流す場合の回路例である。
図示したように直流モータ２３と電源３０の間に２回路３接点スイッチ３１を設け、モータへ電流を流すか否か、及び電流を流す場合の電流の向き制御することができる。
視聴者は仰臥もしくは左右のいずれの横臥位置においても、この２回路３接点スイッチ３１を操作することにより、表示装置１０を移動することが可能となる。
また、前記２回路３接点スイッチにばねを設け、常に中点に戻すようにしておき、左右いずれかに移動したい場合のみその方向の接点と接触するように手でスイッチを操作し、表示装置が適視位置になったら手を離すようにすることで、表示装置の位置制御は更に容易になる。【００２７】  本回路例では機械式スイッチで図示したが、例えばわずかな人体の動きに伴う静電容量変化を検出する電子スイッチとモータ電子制御回路とで同等の回路が実現できることは周知の事実であり、このような例も含めて、視聴者が表示装置１０の位置を見ながら、ごくわずかな人体の動作で表示装置の位置を制御できる例も本実施形態に含まれると考えられる。【００２８】 第２の実施形態の効果
本発明の第２の実施形態に拠れば、視聴者はスイッチなどのわずかな力でかつ容易な操作により、仰臥ばかりでなく左右どちらの横臥に対しても表示装置を視聴者の適視位置に置くことが可能となる。
なお本実施形態の応用で、例えば静電容量変化を検出する電子スイッチ等を用いることにより、きわめて僅かな身体の移動であっても、表示装置を視聴者の適視位置に置くことが可能となる。【００２９】 第３の実施形態
当該実施形態は請求項３に記載の発明に対応した実施形態であり、図７は本実施形態における表示装置の保持装置の説明図である。
図７においては、表示装置１０、角度調整アーム１１、表示装置固定ネジ１２、保持機構１３、回路装置１４及びもしくはバランサー１４、留めピン１６、回転軸１５、回転軸保持装置１７、支持装置台１９および床２０については図５と同様であり、説明を省略する。
本実施形態においては例えば図５の直流モータ２３の代わりにサーボモータを用い、サーボモータ２５の回転軸にはＣ歯車２４を装着し、Ａ歯車２９とＣ歯車２４の歯数は同じとしておく。
更に視聴者は例えばメガネフレーム３２を装着し、このメガネフレーム３２に角度検出装置３３を装着する。【００３０】  ここで図８は本実施形態における角度検出装置３３とサーボモータ制御装置４０のブロックダイヤ例を示している。
同図において角度検出装置３３は角度センサー３４もしくは加速度センサー３４、省電力プロセッサ３６、トランスミッタ３６、電池３７及び送信アンテナ３８などで構成されている。
一方サーボモータ制御装置４０は受信アンテナ４１、レシーバ４２、プロセッサ４３、サーボモータ制御回路４４、サーボモータ用電源入力４５などから構成される。
ここで、角度センサー３４もしくは加速度センサー３４の出力は省電力プロセッサ３５で演算され、演算された出力がトランスミッタ３６で変調され送信アンテナ３８から空中に電波として放出され、受信アンテナ４１で受信され、レシーバ４２で復調されプロセッサ４３に入力され、プロセッサ４３の出力がサーボモータ制御回路４４を制御して、サーボモータ用電源入力４５からの電源をサーボモータ２５に供給する。
ここでサーボモータ制御装置４０は回路装置１４の近傍に装着し、バランサーの役割を果たすこともできる。【００３１】  今視聴者が装着したメガネフレーム３２に角度検出装置３３が装着され、角度センサー３４もしくは加速度センサー３４は角度検出装置３３の中に固く取り付けられているので、例えば視聴者が仰臥しているときの表示装置１０の位置が視聴者の顔面の正面に来るように、また視聴者が左右いずれかに横臥しても、角度センサー３４もしくは加速度センサー３４のセンサー出力信号をもとに、表示装置１０が視聴者の顔面の正面、すなわち適視位置に来るように省電力プロセッサ３５及びプロセッサ４３の設定を行うことが可能である。【００３２】  なお、本実施形態では角度検出装置３３とサーボモータ制御装置４０の間を無線で通信するようにしたが、例えばトランスミッタ３６やレシーバ４２をシリアル通信インターフェースとして、トランスミッタとレシーバの間を有線で接続する実施形態も本発明に含まれると考えられる。【００３３】  また、省電力プロセッサ３５もしくはプロセッサ４３において、視聴者が顔や体をわずかに移動させたときの角度センサーや角速度センサーのわずかな出力変動にはサーボモータ２５を動作させないような不感帯を設けることや、顔や体の急激な移動に対するセンサー出力に低域通過フィルター効果を持たせ、サーボモータ２５の動作を遅らせるような技術も、本実施形態に用いることができる。【００３４】  更に、省電力プロセッサ３５は通常はトランスミッタ３６への電力供給を停止し、かつ自身のクロック周波数を動作限界まで落として消費電流を減らし、常時角度センサーや角速度センサーの出力変化をモニターし、このセンサー出力変化が有ったときのみ、自身のクロック周波数を上げ、トランスミッタ３６への電力供給を行い、前記表示装置の回転動作に支障の無いようにして、かつ角度検出装置３３の消費電力を低下させ、電池３７の寿命を延ばすことができる。【００３５】  なお図示していないが、サーボモータ制御装置４０の中に高周波誘導方式の非接触充電器を設け、角度検出器３３内に２次コイル、整流回路、２次電池を電池３７の代わりに設け、視聴者が表示装置を利用していないときは、角度検出器３３をサーボモータ制御装置４０の一部に装着しておき、前記充電器からの高周波電流を前記２次コイルで得て、前記整流回路を経由して２次電池を充電するような構成をとることで、２次電池の交換は不要とできる。【００３６】 第３の実施形態の効果
本発明の第２の実施形態に拠れば、視聴者は操作なしに、仰臥ばかりでなく左右どちらの横臥に対しても表示装置を視聴者の適視位置に置くことが可能となる。
本形態はきわめて重度の身体障害者にも有用であると考えられる。
また、角度検出装置とサーボモータ制御装置を有線で接続することにより、角度検出装置内の電池交換を不要にできる。
さらに、プロセッサの動作設定により、顔や体の急な動きや細かな動きに、表示装置が追従しないようにできる。
加えて、角度検出装置内の構成により、同装置内の電池寿命を延ばすことができる。
また、非接触式充電方式の採用により、角度検出装置をワイヤレスとし、かつ同装置内の電池交換を不要とできる。【００３７】 第４の実施形態
当該実施形態は請求項４に記載の発明に対応した実施形態であり、図９は本実施形態における表示装置の保持装置の部分説明図である。
図９においては、保持機構１３、回路装置１４及びもしくはバランサー１４、留めピン１６、回転軸１５、回転軸保持装置１７、Ａ歯車２９、Ｃ歯車２４及びサーボモータ２５は図７と同様であり、説明を省略する。
本実施形態においては、サーボモータ２５には円筒状の第２の回転軸２７が装着され、第２の回転軸の保持機構２８が第２の回転軸を保持している。
また図示したように、サーボモータ２５の下面と第２の回転軸保持機構２８の上面はそれぞれ十分固く平行としておき、この間に硬球２６を置く。
また第２の回転軸２７と第２の回転軸保持機構２８の間に軽微な摩擦力を持たせておく。【００３８】  このように硬球２６のころの効果により、本実施例では第３の実施例に加えて、第２の回転軸２７の周囲に保持機構１３、表示装置１０、回路装置１４及びもしくはバランサー１４等をわずかな力で回転させることが可能となる。
なお、実施形態の１乃至３の構成においても、表示装置１０を視聴者の左右いずれかの側面に置くようにすれば、視聴者が起き上がる障害にはならないが、起き上がる際に腕で体を支える場合、誤って表示装置１０を触れる場合もあることから、本実施例のように、サーボモータ２５を駆動して表示装置１０を一旦視聴者の上部に置きかつ、第２の回転軸の周りに表示装置１０を回転させて、仰臥した視聴者の頭部側に移動させるほうが、さらに安全である。【００３９】 第４の実施形態の効果
本発明の第４の実施形態に拠れば、第３の実施形態の効果に加えて、僅かな力で第２の回転軸の周りに表示装置１０を回転させて、仰臥した視聴者の頭部側に移動させることができるため、図１０に示したように視聴者が仰臥しての視聴を終え、起き上がる場合の障害とならない利点がある。【００４０】 第５の実施形態
当該実施形態は請求項５に記載の発明に対応した実施形態であり、図１１は本実施形態における表示装置の保持装置の部分説明図である。
図１１においては、保持機構１３、回路装置１４及びもしくはバランサー１４、留めピン１６、回転軸１５、回転軸保持装置１７、Ａ歯車２９、Ｃ歯車２４、サーボモータ２５及び硬球２６は図９と同様であり、説明を省略する。
本実施形態においては、サーボモータ２５に装着された第２の回転軸２７と、これを保持する第２の回転軸保持機構２８との間の摩擦力は可能な限り減じておく。
また第２の回転軸２７には第２回転軸アーム６３が貫通し、第２サーボモータ５０の回転軸に設けられた第２サーボモータアーム５１との間は複数の接続ピン５２で接続する。
更に第２サーボモータ５０は第２の回転軸保持機構２８に装着する。【００４１】  このように構成することにより、視聴者が視聴を終えたときに、第２サーボモータ５０に所定電流を流すことにより、第２の回転軸の周りに表示装置を９０度回転させ、仰臥した視聴者の頭部側に移動させることが可能である。
また、別途視聴者が視聴を終えたことを指示することにより、自動的にサーボモータ２５を回転させ、一旦表示装置１０を視聴者の真上に移動し、その後第２サーボモータ５０を制御して、第２の回転軸の周りに表示装置を９０度回転させ、仰臥した視聴者の頭部側に移動させることも本発明の範囲に含まれるものとする。【００４２】 第５の実施形態の効果
本発明の第５の実施形態に拠れば、第３の実施形態の効果に加えて、簡単な操作で第２の回転軸の周りに表示装置１０を９０度回転させて、仰臥した視聴者の頭部側に移動させることができるため、視聴者が仰臥しての視聴を終え、起き上がる場合の障害とならない利点がある。
また、第１のサーボモータと第２のサーボモータを統合的に制御することにより、視聴完了とともに、自動的に表示装置を視聴者の真上に移動し、更に第２の回転軸の周りに表示装置１０を９０度回転させて、仰臥した視聴者の頭部側に移動させることができ、起き上がる場合の障害とならない利点がある。【００４３】 第６の実施形態
当該実施形態は請求項６に記載の発明に対応した実施形態であり、図１２は本実施形態における表示装置の保持装置の説明図である。
図１２においては、保持機構１３、回路装置１４及びもしくはバランサー１４、留めピン１６、回転軸１６、回転軸保持装置１７、Ａ歯車２９、Ｃ歯車２４、サーボモータ２６及び支持装置台１９は図７と同様であり、説明を省略する。
ここでは回路装置１４から表示装置の保持装置外へのＡ配線６０が保持機構１３の中および回転軸１５の中に収納されている。
また表示装置１０から回路装置１４までのＢ配線６１の過半が保持機構１３の中に収納されている。
さらに表示装置１０から表示装置の保持装置外へのＣ配線６２が保持機構１３の中および回転軸１５の中に収納されている。
ちなみにＡ配線６０及びＣ配線６２としては商用電源コード、放送波受信用アンテナ線、ＬＡＮ用イーサネットケーブル、電話線及び光ファイバー等が適用できる。【００４４】 第６の実施形態の効果
本発明の第６の実施形態に拠れば、本発明の表示装置の保持装置を利用する視聴者は配線を殆ど意識せず、快適な操作性が得られる利点がある。【００４５】  なお、以上の実施形態においては表示装置としては液晶表示装置やＥＬ（エレクトロルミネッセンス）表示装置などの軽量な平面表示装置が適しており、また表示内容としてはテレビ放送受信画像、インターネット動画像、ＶＣＲやＤＶＤの動画像ばかりでなく、インターネットブラウザによる各種情報表示や電子ブックの活字やマンガなど比較的長時間視聴されるものや、表示装置にカメラを付けた双方向テレビ電話の画像などが考えられる。
【図面の簡単な説明】
【００４６】
【図１】第１の実施形態、第１の例における表示装置の保持装置の説明図１
【図２】第１の実施形態、第１の例における表示装置の保持装置の説明図２
【図３】第１の実施形態、第２の例における表示装置の保持装置の説明図
【図４】第１の実施形態、第３の例における表示装置の保持装置の説明図
【図５】第２の実施形態における表示装置の保持装置の説明図
【図６】第２の実施形態における直流モータへ電流を流す回路の例
【図７】第３の実施形態における表示装置の保持装置の説明図
【図８】第３の実施形態の角度検出装置とサーボモータ制御装置のブロックダイヤ例
【図９】第４の実施形態における表示装置の保持装置の部分説明図
【図１０】第４の実施形態における表示装置の保持装置の動作説明図
【図１１】第５の実施形態における表示装置の保持装置の部分説明図
【図１２】第６の実施形態における表示装置の保持装置の部分説明図
【符号の説明】
１０・・・表示装置、１１・・・角度調整アーム、１２・・・表示装置固定ネジ、１３・・・保持機構、１４・・・回路装置もしくはバランサー、１５・・・回転軸、１６・・・留めピン、１７・・・回転軸保持機構、１８・・・リング、１９・・・保持装置台、２０・・・床面、２１・・・壁、２２・・・Ｂ歯車、２３・・・モータ、２４・・・Ｃ歯車、２５・・・サーボモータ、２６・・・硬球、２７・・・第２の回転軸、２８・・・第２の回転軸保持機構、２９・・・Ａ歯車、３０・・・電源、３１・・・２回路３接点スイッチ、３２・・・メガネフレーム、３３・・・角度検出装置、３４・・・角度検出センサーもしくは加速度検出センサー、３５・・・省電力プロセッサ、３６・・・トランスミッタ、３７・・・電池、３８・・・送信アンテナ、４０・・・サーボモータ制御装置、４１・・・受信アンテナ、４２・・・レシーバ、４３・・・プロセッサ、４４・・・サーボモータ制御回路、４５・・・サーボモータ電源入力、５０・・・第２サーボモータ、５１・・・第２サーボモータアーム、５２・・・接続ピン、５３・・・第２回転軸アーム、６０・・・Ａ配線、６１・・・Ｂ配線、６２・・・Ｃ配線
【図１】
2005084671.tif 000003
【図２】
2005084671.tif 000004
【図３】
2005084671.tif 000005
【図４】
2005084671.tif 000006
【図５】
2005084671.tif 000007
【図６】
2005084671.tif 000008
【図７】
2005084671.tif 000009
【図８】
2005084671.tif 000010
【図９】
2005084671.tif 000011
【図１０】
2005084671.tif 000012
【図１１】
2005084671.tif 000013
【図１２】
2005084671.tif 000014